【手続補正書】
【提出日】平成17年11月30日(2005.11.30)
【手続補正１】
【補正対象書類名】明細書
【補正対象項目名】発明の名称
【補正方法】変更
【補正の内容】
【発明の名称】プログラム制御装置、ファイル処理システム、方法及び記憶媒体
【手続補正２】
【補正対象書類名】明細書
【補正対象項目名】特許請求の範囲
【補正方法】変更
【補正の内容】
【特許請求の範囲】
【請求項１】
撮影によって得られた画像ファイルを、撮影した機器に基づくフォルダに格納し管理する画像ファイル管理手段を有する画像ファイル記憶装置と、
フォルダに格納されたファイルを取り込むためのプログラムを該フォルダと対応付けて記憶するプログラム記憶手段と、
ファイルを取り込む処理の対象となるフォルダを設定する設定手段と、
前記プログラム記憶手段により記憶されたプログラムのうち、前記設定手段により設定されたフォルダに対応付けて記憶されたプログラムを起動する起動手段を有するプログラム制御装置で構成されることを特徴とするファイル処理システム。
【請求項２】
前記プログラム制御装置は、
前記起動手段により起動されたプログラムを用いて、前記設定手段により設定されたフォルダ内のファイルを取り込む取り込み手段と、
前記取り込み手段により取り込んだファイルを記憶するファイル記憶手段
を有することを特徴とする請求項１に記載のファイル処理システム。
【請求項３】
フォルダに格納されたファイルを取り込むためのプログラムを該フォルダと対応付けて記憶するプログラム記憶手段と、
ファイルを取り込む処理の対象となるフォルダを設定する設定手段と、
前記プログラム記憶手段により記憶されたプログラムのうち、前記設定手段により設定されたフォルダに対応付けて記憶されたプログラムを起動する起動手段と、
前記起動手段により起動されたプログラムを用いて、前記設定手段により設定されたフォルダに格納されたファイルを取り込む取り込み手段と、
前記取り込み手段により取り込んだファイルを記憶するファイル記憶手段
を有することを特徴とするプログラム制御装置。
【請求項４】
前記設定手段により設定されたフォルダ内に格納されたファイルのファイル名に予め設定された文字列が含まれるか否か判断する文字列判断手段を有し、
前記ファイル記憶手段は、前記文字列判断手段により予め設定された文字列が含まれると判断した場合に前記ファイルを記憶することを特徴とする請求項３に記載のプログラム制御装置。
【請求項５】
前記予め設定された文字列は、前記ファイルが格納されたフォルダを識別するための文字列を含むことを特徴とする請求項４に記載のプログラム制御装置。
【請求項６】
前記ファイルは映像情報を含み、前記フォルダは、前記映像を撮影した機器の情報を含むことを特徴とする請求項３乃至５のいずれか１項に記載のプログラム制御装置。
【請求項７】
前記ファイルの拡張子に基づき、ファイルの種類を判断する拡張子判断手段と、
前記ファイル名を比較するファイル名比較手段を有し、
前記ファイル記憶手段は、前記拡張子判断手段により異なる種類のファイルであると判断され、かつ前記ファイル名比較手段により同じ文字列を有すると判断されたファイル同士を関連付けて記憶することを特徴とする請求項４乃至６いずれか１項に記載のプログラム制御装置。
【請求項８】
前記拡張子判断手段は、前記ファイルの種類がサウンドファイル又は画像ファイルであることを判断することを特徴とする請求項７に記載のプログラム制御装置。
【請求項９】
フォルダに格納されたファイルを取り込むためのプログラムを該フォルダと対応付けて記憶するプログラム記憶手段を備えるプログラム制御装置の制御方法であって、
ファイルを取り込む処理の対象となるフォルダを設定する設定工程と、
前記プログラム記憶手段により記憶されたプログラムのうち、前記設定工程により設定されたフォルダに対応付けて記憶されたプログラムを起動する起動工程と、
前記起動工程により起動されたプログラムを用いて、前記設定工程により設定されたフォルダに格納されたファイルを取り込む取り込み工程と、
前記取り込み工程により取り込んだファイルをファイル記憶手段に格納する工程と
を有することを特徴とするプログラム制御装置の制御方法。
【請求項１０】
撮影によって得られた画像ファイルを、撮影した機器に基づくフォルダに格納し管理する画像ファイル管理工程と、
フォルダに格納されたファイルを取り込むためのプログラムを該フォルダと対応付けてプログラム記憶手段に格納する工程と、
ファイルを取り込む処理の対象となるフォルダを設定する設定工程と、
前記プログラム記憶手段により記憶されたプログラムのうち、前記設定工程により設定されたフォルダに対応付けて記憶されたプログラムを起動する起動工程を有するファイル処理方法。
【請求項１１】
フォルダに格納されたファイルを取り込むためのプログラムを該フォルダと対応付けて記憶するプログラム記憶手段と、
ファイルを取り込む処理の対象となるフォルダを設定する設定手段と、
前記プログラム記憶手段により記憶されたプログラムのうち、前記設定手段により設定されたフォルダに対応付けて記憶されたプログラムを起動する起動手段と、
前記起動手段により起動されたプログラムを用いて、前記設定手段により設定されたフォルダに格納されたファイルを取り込む取り込み手段と、
前記取り込み手段により取り込んだファイルを記憶するファイル記憶手段
として機能するように、コンピュータに実行させるためのコンピュータプログラム。
【手続補正３】
【補正対象書類名】明細書
【補正対象項目名】０００７
【補正方法】変更
【補正の内容】
【０００７】
【課題を解決するための手段】
本発明は、ファイルを取り込む際に、操作者が複数の取り込みプログラムをその都度実行させなくても、自動的に適切な取り込みプログラムを起動するファイル処理システム、プログラム制御装置、方法及び記憶媒体を提供しようとするものである。
【手続補正４】
【補正対象書類名】明細書
【補正対象項目名】０００８
【補正方法】変更
【補正の内容】
【０００８】
上記課題を解決するため、例えば本発明のファイル処理システムは、
撮影によって得られた画像ファイルを、撮影した機器に基づくフォルダに格納し管理する画像ファイル管理手段を有する画像ファイル記憶装置と、
フォルダに格納されたファイルを取り込むためのプログラムを該フォルダと対応付けて記憶するプログラム記憶手段と、
ファイルを取り込む処理の対象となるフォルダを設定する設定手段と、
前記プログラム記憶手段により記憶されたプログラムのうち、前記設定手段により設定されたフォルダに対応付けて記憶されたプログラムを起動する起動手段を有するプログラム制御装置で構成されることを特徴とする。
【手続補正５】
【補正対象書類名】明細書
【補正対象項目名】００１７
【補正方法】変更
【補正の内容】
【００１７】
さて、ステップＳ２０２では、図１２に示すテーブルの先頭のプログラムから順に選択するが、それがテーブルエンドであるかどうかを判断するのが、次のステップＳ２０３である。否の場合には、ステップＳ２０４に進んで、そのプログラムを記憶部１０２から読出し、引数（フォルダ名）を与えて取り込みを行なわせる。
【手続補正６】
【補正対象書類名】明細書
【補正対象項目名】００４４
【補正方法】変更
【補正の内容】
【００４４】
また、例えば図１１に示すようなファイル管理をするデジタルカメラＣがあり、そのデジタルカメラＣで使用したメモリカードを本装置にセットし、尚且つ、実施形態の装置に登録された取込みプログラムが図１２１２のように２つだけであった場合、図２のステップＳ２０４での取込みは失敗するが、ステップＳ２０７での取込みで成功させることができる。